(57)【要約】【課題】間違った送信操作内容に基づく誤送信等の不適切な動作が行われることを防止できる通信端末装置を提供する。【解決手段】スタートキー２６に指紋読取センサ２６ａを設けたファクシミリ装置１において、主制御部２は、操作部５で入力された送信操作内容である相手先ＦＡＸ番号を表示部６に表示し（ＳＴ１）、スタートキー２６を押した指の指紋データを第１の指紋データとして認識し（ＳＴ３）、その後スタートキー２６を押した指の指紋データを第２の指紋データとして認識し（ＳＴ６）、第１、第２の指紋データを照合し（ＳＴ７）、これらが互いに異なる人物の指紋データであると判断した場合は相手先ＦＡＸ番号へのファクシミリ送信を許可し（ＳＴ９）、異なる人物の指紋データであると判断しなければファクシミリ送信を許可しない（ＳＴ１０）。【選択図】図４
2007235437.tif 000002
【特許請求の範囲】
【請求項１】
所定の送信操作により送信データを送信するデータ送信機能を備えた通信端末装置において、
入力された送信操作内容を表示する送信操作内容表示手段と、前記送信操作に続けて入力された生体認証データを認識する生体認証データ認識手段と、該生体認証データ認識手段で認識された第１の生体認証データと該第１の生体認証データの入力後に入力された第２の生体認証データを照合する生体認証データ照合手段と、前記生体認証データ照合手段で第１，第２の生体認証データを照合し、両者が互いに異なる人物の生体認証データであると判断した場合に、前記送信データの送信動作を許可し、両者が互いに同一人物の生体認証データであると判断した場合は、前記送信データの送信動作を許可しない送信動作許可手段と、を備えたことを特徴とする通信端末装置。
【請求項２】
請求項１に記載の通信端末装置において、
前記生体認証データ認識手段で認識する生体認証データは指紋データであることを特徴とする通信端末装置。
【請求項３】
請求項１又は２に記載の通信端末装置において、
前記送信操作内容表示手段は、入力された相手先ＦＡＸ番号又は電話番号を表示し、前記送信動作許可手段は、前記相手先ＦＡＸ番号へのファクシミリ送信動作又は相手先電話番号へのダイヤル動作を許可することを特徴とする通信端末装置。
【請求項４】
請求項１乃至３のいずれかに記載の通信端末装置において、
前記生体認証データ照合手段で第１，第２の生体認証データを照合し、両者が互いに異なる人物の生体認証データであると判断した場合に、前記入力された送信操作内容の登録動作を許可し、両者が互いに同一人物の生体認証データであると判断した場合は、前記入力された送信操作内容の登録動作を許可しない登録動作許可手段を備えたことを特徴とする通信端末装置。
【請求項５】
請求項１乃至４のいずれかに記載の通信端末装置において、
前記生体認証データ照合手段は、予め登録されている登録生体認証データと、前記第１，第２の生体認証データとを照合することで、前記第１，第２の生体認証データが互いに異なる人物の生体認証データであるかを判断することを特徴とする通信端末装置。
【請求項６】
請求項１乃至５のいずれかに記載の通信端末装置において、
前記通信端末装置は、送信操作内容を入力する入力キーと、送信データの送信を開始する送信開始キーとを備えたファクシミリ装置であり、
前記生体認証データを読み取る生体認証データ読取手段が、前記送信開始キーに設けられていることを特徴とする通信端末装置。
【発明の詳細な説明】
【技術分野】
【０００１】
本発明は、通信端末装置に関し、特に、間違った送信操作内容に基づいて送信データの誤送信等が行われることを防止できる通信端末装置に関するものである。
【背景技術】
【０００２】
従来のファクシミリ装置等の通信端末装置では、テンキー等の入力キーで相手先ＦＡＸ番号を入力し、その後送信開始キーを押すことで当該相手先ＦＡＸ番号宛てに原稿データの送信を行なうようになっている。そしてこの種のファクシミリ装置には、例えば特許文献１に示すように、相手先ＦＡＸ番号を二回続けて入力することを要求し、一回目と二回目の入力番号が一致しなければ原稿データの送信ができない誤送信防止機能を備えることで、間違った相手先ＦＡＸ番号が入力されることを防止して、原稿データの誤送信を防ぐものがある。
【特許文献１】特開平２−２０００５８号公報
【発明の開示】
【発明が解決しようとする課題】
【０００３】
しかしながら、上記の誤送信防止機能を備えたファクシミリ装置では、同一の操作者が二回続けて相手先ＦＡＸ番号を入力することが可能なため、この操作者が気付かずに二回とも間違った番号を入力してしまうことがあり、その場合は、誤送信を防止することができなかった。このように同一操作者による入力情報だけでその後の動作が行われると、間違った送信操作内容に基づく不適切な送信等が行われてしまうことがあった。
【０００４】
本発明は上述の点に鑑みてなされたものでありその目的は、間違った送信操作内容に基づいて送信データの誤送信等が行われることを防止できる通信端末装置を提供することにある。
【課題を解決するための手段】
【０００５】
上記課題を解決するため本願の請求項１に記載の発明は、所定の送信操作により送信データを送信するデータ送信機能を備えた通信端末装置において、入力された送信操作内容を表示する送信操作内容表示手段と、前記送信操作に続けて入力された生体認証データを認識する生体認証データ認識手段と、該生体認証データ認識手段で認識された第１の生体認証データと該第１の生体認証データの入力後に入力された第２の生体認証データを照合する生体認証データ照合手段と、前記生体認証データ照合手段で第１，第２の生体認証データを照合し、両者が互いに異なる人物の生体認証データであると判断した場合に、前記送信データの送信動作を許可し、両者が互いに同一人物の生体認証データであると判断した場合は、前記送信データの送信動作を許可しない送信動作許可手段と、を備えたことを特徴とする。
【０００６】
本願の請求項２に記載の発明は、請求項１に記載の通信端末装置において、前記生体認証データ認識手段で認識する生体認証データは指紋データであることを特徴とする。
【０００７】
本願の請求項３に記載の発明は、請求項１又は２に記載の通信端末装置において、前記送信操作内容表示手段は、入力された相手先ＦＡＸ番号又は電話番号を表示し、前記送信動作許可手段は、前記相手先ＦＡＸ番号へのファクシミリ送信動作又は相手先電話番号へのダイヤル動作を許可することを特徴とする。
【０００８】
本願の請求項４に記載の発明は、請求項１乃至３のいずれかに記載の通信端末装置において、前記生体認証データ照合手段で第１，第２の生体認証データを照合し、両者が互いに異なる人物の生体認証データであると判断した場合に、前記入力された送信操作内容の登録動作を許可し、両者が互いに同一人物の生体認証データであると判断した場合は、前記入力された送信操作内容の登録動作を許可しない登録動作許可手段を備えたことを特徴とする。
【０００９】
本願の請求項５に記載の発明は、請求項１乃至４のいずれかに記載の通信端末装置において、前記生体認証データ照合手段は、予め登録されている登録生体認証データと、前記第１，第２の生体認証データとを照合することで、前記第１，第２の生体認証データが互いに異なる人物の生体認証データであるかを判断することを特徴とする。
【００１０】
本願の請求項６に記載の発明は、請求項１乃至５のいずれかに記載の通信端末装置において、前記通信端末装置は、送信操作内容を入力する入力キーと、送信データの送信を開始する送信開始キーとを備えたファクシミリ装置であり、前記生体認証データを読み取る生体認証データ読取手段が、前記送信開始キーに設けられていることを特徴とする。
【発明の効果】
【００１１】
本願請求項１に記載の発明によれば、通信端末装置において、生体認証データ照合手段で第１，第２の生体認証データを照合し、両者が互いに異なる人物の生体認証データであると判断した場合に、送信動作許可手段が送信データの送信動作を許可し、両者が互いに同一人物の生体認証データであると判断した場合は、送信動作許可手段が送信データの送信動作を許可しないので、一人目の操作者が入力した送信操作内容をこの一人目の操作者とは異なる二人の操作者が確認したものと判断した上で送信を行う。したがって、間違えて入力された送信操作内容に基づく誤送信を極力防止することが可能となる。なお、ここでいう生体認証データとは、指紋、掌紋、指や掌等の静脈パターン、声紋、顔、網膜、虹彩（アイリス）などの生体を識別することが可能なあらゆるデータが含まれる。
【００１２】
本願請求項２に記載の発明によれば、生体認証データ認識手段で認識する生体認証データは指紋データなので、操作者を煩わせることなく簡単に操作者の識別に必要な生体認証データを入力させることができる。
【００１３】
本願請求項３に記載の発明によれば、送信操作内容表示手段は、入力された相手先ＦＡＸ番号又は電話番号を表示し、送信動作許可手段は、相手先ＦＡＸ番号へのファクシミリ送信動作又は相手先電話番号へのダイヤル動作を許可するので、間違えて入力され易い相手先ＦＡＸ番号又は電話番号を、入力した操作者とは異なる操作者が確認したと判断した上で、ファクシミリ送信等の動作を許可することができる。したがって、間違った送信先への送信等の不適切な送信動作を極力防止することができる。
【００１４】
本願請求項４に記載の発明によれば、生体認証データ照合手段で第１，第２の生体認証データを照合し、両者が互いに異なる人物の生体認証データであると判断した場合に、入力された送信操作内容の登録動作を許可し、両者が互いに同一人物の生体認証データであると判断した場合は、入力された送信操作内容の登録動作を許可しない登録動作許可手段を備えたので、入力された送信操作内容を、入力した操作者とは異なる操作者が確認したと判断した上で、この送信操作内容を登録することができる。
【００１５】
本願請求項５に記載の発明によれば、生体認証データ照合手段は、予め登録されている登録生体認証データと、第１，第２の生体認証データとを照合することで、第１，第２の生体認証データが互いに異なる人物の生体認証データであるかを判断するので、同一の操作者の異なる生体認証データ（例えば、同一操作者の異なる指の指紋データ）が続けて入力された場合でも、これらが同一の操作者のものであると正しく判断することが可能となる。
【００１６】
本願請求項６に記載の発明によれば、通信端末装置は、送信操作内容を入力する入力キーと、送信データの送信を開始する送信開始キーとを備えたファクシミリ装置であり、生体認証データを読み取る生体認証データ読取手段が送信開始キーに設けられているので、操作者は通常のファクシミリ装置の操作と同様に送信開始キーを操作するだけで、その操作者の生体認証データが読み取られるので、操作者を煩わせることなく生体認証データの認識ができる。
【発明を実施するための最良の形態】
【００１７】
以下、本発明の実施形態を図面に基づいて詳細に説明する。図１は、本発明の一実施形態に係るファクシミリ装置１の構成を示すブロック図である。また図２は、ファクシミリ装置１が備える操作パネル部２０を示す図である。このファクシミリ装置１は、コピー機能とファクシミリ機能を兼ね備えたいわゆる複合機であり、図１に示すように主制御部（ＣＰＵ）２、ＮＣＵ（網制御回路：Network Control Unit）３、モデム４、操作部５、表示部６、ＲＯＭ７、ＲＡＭ８、画像読取部９、画像メモリ１０、ＣＯＤＥＣ（符号化・復号器： Coder and Decoder）１１、画像記録部１２の各部を備え、これら各部が内部バス１３を介して互いに接続されている。以下、各部の構成及び機能について順に説明する。
【００１８】
主制御部２は、ＲＯＭ７に格納されているプログラムに従い、ファクシミリ装置１の各部を統括制御する機能を備えている。また主制御部２は、下記する操作部５の各種キーの操作で入力されたＦＡＸ番号や短縮メモリ番号などの送信操作内容を表示部６に表示させる機能と、送信操作内容の入力に続けて下記する指紋読取センサ２６ａで読み取られた指紋データを認識する指紋データ認識手段としての機能と、入力された第１の指紋データとこの第１の指紋データの入力後に入力された第２の指紋データを照合する指紋データ照合手段としての機能と、第１，第２の指紋データを照合し、両者が互いに異なる人物の指紋データであると判断した場合に、送信データの送信動作を許可し、両者が互いに同一人物の指紋データであると判断した場合は、送信データの送信動作を許可しない送信動作許可手段としての機能を備えている。
【００１９】
ＮＣＵ３は、主制御部２により制御されて、通信回線である公衆電話回線網（ＰＳＴＮ）１４との接続を制御するとともに、通信相手先のＦＡＸ番号又は電話番号に応じたダイヤルパルスを送出する機能、及び着信を検出する機能を備えている。
【００２０】
モデム４は、公衆電話回線網１４に接続される通常のファクシミリ通信機能を有するファックスモデムである。このモデム４は、ＮＣＵ３を介して公衆電話回線網１４との間で送受信データを受渡しするために、デジタル信号である送信データをアナログの音声信号に変調する機能や、公衆電話回線網１４からＮＣＵ３を介して受信したアナログの音声信号をデジタル信号の受信データに復調する機能を備えている。
【００２１】
操作部５は、図２に示す操作パネル部２０上に配設された各種の入力キーを備えている。これら入力キーは、数字等を入力するテンキー２１、予め登録されたＦＡＸ番号等の登録データを呼び出すワンタッチキー２２や短縮キー２３などからなる。ワンタッチキー２２では、割り当てられた英文字や記号等を入力することも可能である。また、操作パネル部２０には、ストップキー２４、リセットキー２５や、ファクシミリ送信やコピー動作を開始するスタートキー（送信開始キー）２６が設けられている。スタートキー２６の操作面には指紋読取センサ２６ａが設けられている。指紋読取センサ２６ａは、スタートキー２６が押された際に触れている指の指紋を読み取るものである。
【００２２】
表示部６は、ファクシミリ装置１の動作状態等の各種情報を表示するほか、上記の入力キーで入力された相手先ＦＡＸ番号、電話番号などの送信操作内容を表示することができる。また入力された短縮番号に対応する登録情報など、ＲＡＭ８に格納されている情報内容を表示することもできる。この表示部６には、図２に示す液晶表示装置（ＬＣＤ）２７が用いられる。また表示部６にはタッチセンサ式の液晶表示装置を採用してもよい。表示部６がタッチセンサ式の液晶表示装置である場合は、上記の操作部５の入力キー等をこのタッチセンサ式の液晶表示装置に設けることも可能である。
【００２３】
ＲＯＭ７には、主制御部２によって実行されるファクシミリ送受信処理などのファクシミリ装置１の動作に必要な種々のプログラムが格納されている。ＲＡＭ８は、主制御部２のワーキングエリアとして使用されるもので、ＳＲＡＭ又はフラッシュメモリ等で構成されている。このＲＡＭ８は、プログラムの実行時に発生するデータなど主制御部２による制御時に記憶が必要なデータを一時的に格納する。また、操作部５の入力キーの操作で入力された送信操作内容を一時的に格納する。またＲＡＭ８は、スタートキー２６が操作された際に指紋読取センサ２６ａで読み取られて認識された指紋データを一時的に格納する。
【００２４】
またＲＡＭ８には、予めファクシミリ装置１を操作する操作者の指紋データ（以下、「登録指紋データ」という。）を登録しておく指紋登録テーブル８ａが格納されている。この指紋登録テーブル８ａには、イメージデータとして保存されている指紋読取センサ２６ａで読み取られた指紋データの特定情報（ファイル名又は格納位置を示すアドレス）と、これに対応する数字や記号等からなるパスコードとが関連付けられて登録される。図３に、この指紋登録テーブル８ａの例を示す。この場合は、指紋データ「ＡＢＣ」に対応してパスコード「１２３」が登録され、指紋データ「ＤＥＦ」に対応してパスコード「４５６」が登録されている。ここでは、同一の人物の各指の指紋データ（例えば左右両方の手のすべての指の指紋）を一つのパスコードと関連付けて登録しておくこともできる。これにより、ファクシミリ送信時に認識される一の人物の指紋と他の人物の指紋を異なる人物の指紋として識別することが可能となる。
【００２５】
画像読取部９は、ＣＣＤ等を利用したスキャナで原稿を読み取り、白黒２値に変換したドット画像データを出力する。画像メモリ１０は、画像読取部９で読み取った画像データを符号化し、圧縮状態で記憶する。ＣＯＤＥＣ１１は、読み取った画像データを送信又は記憶するために、ＭＨ、ＭＲ、ＭＭＲ方式等により符号化（エンコード）する。また圧縮符号化された状態で受信した画像データを画像記録部１２で記録するために復号（デコード）する。画像記録部１２は、例えば電子写真方式のプリンタ装置であり、他のファクシミリ装置からファクシミリ通信で受信した受信画像データや、コピー機能により画像読取部９で読み取られた原稿の画像データを記録紙上に記録する。
【００２６】
次に、図４のフローチャートを参照して、ファクシミリ装置１でファクシミリ送信を行う際の動作を説明する。まず、操作者によってファクシミリ送信を行う原稿が図示しない原稿台にセットされ、テンキー２１等で送信操作内容である相手先ＦＡＸ番号が入力される。ファクシミリ装置１は、入力された相手先ＦＡＸ番号を表示部６に表示し（ステップＳＴ１）、ＲＡＭ８に一時的に格納する。続いてスタートキー２６の操作を受け付ける（ステップＳＴ２）。スタートキー２６を押す指の指紋を指紋読取センサ２６ａで読み取り、この読み取った指紋を指紋データとして認識する（ステップＳＴ３）。ここで認識した指紋データを第１の指紋データとする。この第１の指紋データが認識できなければ、再度スタートキー２６の操作を受け付ける。
【００２７】
次に、指紋登録テーブル８ａに登録されている登録指紋データと認識した第１の指紋データとを照合して、登録指紋データの中に第１の指紋データと一致するものが存在するか確認する（ステップＳＴ４）。一致するものが存在しなければファクシミリ送信動作を不許可とする（ステップＳＴ１０）。一方、一致するものが存在する場合には、続けてスタートキー２６の操作を受け付ける（ステップＳＴ５）。この際も、スタートキー２６を押す指の指紋を指紋読取センサ２６ａで読み取り、この読み取った指紋を指紋データとして認識する（ステップＳＴ６）。ここで認識した指紋データを第２の指紋データとする。この場合も、第２の指紋データが認識できなければ、再度スタートキー２６の操作を受け付ける。
【００２８】
第２の指紋データが認識できたら、登録指紋データと認識された第２の指紋データとを照合して、登録指紋データの中に第２の指紋データと一致するものが存在するか確認する（ステップＳＴ７）。一致するものが存在しなければファクシミリ送信動作を不許可とする（ステップＳＴ１０）。一方、登録指紋データの中に第２の指紋データと一致するものが存在すれば、次のステップＳＴ８に進む。
【００２９】
ステップＳＴ８では、第１の指紋データと第２の指紋データとを照合して、これらが互いに異なる人物の指紋データであるか否かを判断する。ここで、互いに異なる人物の指紋データであるかの判断は、登録指紋データと第１の指紋データとの照合結果、及び登録指紋データと第２の指紋データとの照合結果に基づいて行われる。即ち、第１の指紋データと第２の指紋データが互いに異なる人物の登録指紋データとそれぞれ一致すれば、第１の指紋データと第２の指紋データが異なる人物の指紋データであると判断する。一方、第１の指紋データと第２の指紋データがいずれも同一人物の登録指紋データと一致すれば、第１の指紋データと第２の指紋データが同一人物の指紋データであると判断する。
【００３０】
この指紋照合の結果、第１の指紋データと第２の指紋データが互いに異なる人物の指紋データであると判断した場合は、ファクシミリ送信を許可し（ステップＳＴ９）、送信原稿の読み込み動作及び相手先ＦＡＸ番号のダイヤル動作を開始する。一方、第１の指紋データと第２の指紋データが互いに異なる人物の指紋データであると判断できない場合は、当該ファクシミリ送信を不許可とし（ステップＳＴ１０）、ファクシミリ送信動作を実行せずにそのまま終了する。
【００３１】
このファクシミリ装置１は、上記のように第１の指紋データと第２の指紋データが互いに異なる人物の指紋データであると判断されなければ、入力された相手先ＦＡＸ番号への送信動作が実行されないので、操作者においては、下記のような手順で操作する必要がある。即ち、一人目の操作者が、相手先ＦＡＸ番号を入力した後にスタートキー２６を押す。このとき、一人目の操作者によって入力された相手先ＦＡＸ番号が表示部６に表示されている。この表示された相手先ＦＡＸ番号を二人目の操作者が見て、番号に入力間違いがないことを確認する。その後、当該二人目の操作者がスタートキー２６を押す。このように操作することで、第１、第２の指紋データが互いに異なる人物の指紋データとなり、相手先ＦＡＸ番号へのファクシミリ送信が可能となる。つまり、相手先ＦＡＸ番号を入力した一人目の操作者とは異なる二人目の操作者がＦＡＸ番号の入力間違いがないことを確認したと判断した上で、ファクシミリ送信動作が行われるので、番号の入力間違いを極力防止することができ、間違った相手先への送信を防ぐことができる。
【００３２】
なお、一の原稿データを複数の相手先へ同報送信する場合は、ファクシミリ装置１が備える同報配信機能を用いて送信することができる。即ち、一人目の操作者が同報配信機能で複数の相手先ＦＡＸ番号を順に入力する。入力された相手先ＦＡＸ番号が一覧となって表示部６に表示される。すべての相手先ＦＡＸ番号の入力が完了したら、スタートキー２６を押す。次に、二人目の操作者がこの一覧の相手先ＦＡＸ番号を順に見て、入力間違いがないことを確認したら、スタートキー２６を押す。これにより、すべての相手先ＦＡＸ番号に入力間違いがないことを確認した上で、同報配信をすることができる。
【００３３】
以上本発明の実施形態を説明したが、本発明は上記実施形態に限定されるものではなく、特許請求の範囲、及び明細書、図面に記載された技術的思想の範囲内において種々の変形が可能である。例えば、上記実施形態では、送信操作が相手先ＦＡＸ番号の入力操作であり、この送信操作の内容に基づく送信動作が当該相手先ＦＡＸ番号へのファクシミリ送信であるが、送信操作は、これ以外にも予め短縮登録されている相手先ＦＡＸ番号又は電話番号等の登録データを呼び出す短縮番号の入力等であってもよい。その場合は、表示部６にこの短縮番号に対応するＦＡＸ番号又は電話番号等の登録データが表示されるようにすることで、二人目の操作者がその表示を確認してスタートキー２６を押すことができる。あるいは、通信端末装置が電子メール送受信機能を備えた通信端末装置である場合は、入力される送信操作内容が送信先の電子メールアドレス等であってもよい。
【００３４】
また、上記のファクシミリ送信の手順では、登録指紋データと第１、第２の指紋データとを照合する手順（ステップＳＴ４，ステップＳＴ７）を有する場合を説明したが、第１、第２の指紋データが互いに異なる人物の指紋データであるか否かをより簡易的に判断するのであれば、これらステップＳＴ４，ステップＳＴ７を省略し、ステップＳＴ８で第１の指紋データと第２の指紋データを直接照合することで、これらが互いに異なる指紋データであるかを判断することで、両者が互いに異なる人物の指紋データであるか否かを判断しても良い。
【００３５】
また、上記の実施形態では、通信端末装置の例としてファクシミリ装置を説明したが、本発明は、ファクシミリ装置以外にも、電話機や、電子メール送受信機能を備えた通信端末装置等に広く適用することが可能である。また、入力された送信操作内容に基づく動作として、送信動作以外の動作を許可することも可能である。例えば、入力されたＦＡＸ番号又は電話番号等をワンタッチキーや短縮キーに登録する登録動作を許可する登録許可手段としての機能を備えることで、これら登録の際のＦＡＸ番号又は電話番号等の入力の間違いを防止できるようにしてもよい。
【図面の簡単な説明】
【００３６】
【図１】本発明の一実施形態に係るファクシミリ装置１の構成を示すブロック図である。
【図２】ファクシミリ装置１が備える操作パネル部２０を示す図である。
【図３】ＲＡＭ８における指紋登録テーブル８ａを示す図である。
【図４】ファクシミリ装置１におけるファクシミリ送信動作の手順を説明するためのフローチャートである。
【符号の説明】
【００３７】
１    ファクシミリ装置（通信端末装置）
２    主制御部（ＣＰＵ）
３    ＮＣＵ（網制御回路）
４    モデム
５    操作部
６    表示部
７    ＲＯＭ
８    ＲＡＭ
８ａ  指紋登録テーブル
９    画像読取部
１０  画像メモリ
１１  ＣＯＤＥＣ
１２  画像記録部
１３  内部バス
１４  公衆電話回線網（ＰＳＴＮ）
２０  操作パネル部
２１  テンキー
２２  ワンタッチキー
２３  短縮キー
２４  ストップキー
２５  リセットキー
２６  スタートキー（送信開始キー）
２６ａ  指紋読取センサ（生体認証データ読取手段）
２７  液晶表示装置（ＬＣＤ）
【図１】
2007235437.tif 000003
【図２】
2007235437.tif 000004
【図３】
2007235437.tif 000005
【図４】
2007235437.tif 000006